(57)【要約】【課題】小便器間に仕切り板を設けなくても少ない費用で利用者のプライバシーが保たれ、美観や意匠性にすぐれている小便器を提供する。【解決手段】小便器１は、便器本体１０の前面部１１にボウル部１２が形成された小便器１であって、便器本体１０は背面１８に対して垂直な前方方向Ｂから見て左右非対称形状であり、前面部１１の少なくとも一方の側端１３が前方に突出している。【選択図】図１
2017197908.tif 000002
【特許請求の範囲】
【請求項１】
便器本体の前面部にボウル部が形成された小便器であって、
前記便器本体は、背面に対して垂直な前方方向から見て左右非対称形状であり、前記前面部の少なくとも一方の側端が前方に突出していることを特徴とする小便器。
【請求項２】
請求項１において、
前記便器本体の横断面形状が略三角形であり、その三角形の長辺側の面に前記ボウル部が配されていることを特徴とする小便器。
【請求項３】
請求項１または２において、
前記前面部は、凹湾曲面に小便受け下部が突出形成された形状であることを特徴とする小便器。
【請求項４】
請求項１〜３のいずれか１項に記載された小便器を複数横並びにして、それらの背面を面一にし、かつ背面側に空間を設けるように設置したことを特徴とする小便器の施工方法。
【発明の詳細な説明】
【技術分野】
【０００１】
本発明は、小便器に関する。
【背景技術】
【０００２】
公共のトイレでは、面一な壁面に複数の小便器が横方向に連続して配置されているものが多く見られる。このような小便器では、利用者の小便行為や局部（以下、「小便行為等」という）が他人に視認されるおそれがあり、利用者のプライバシーが保たれないことがある。利用者のプライバシーを保つために小便器間に仕切り板が設けられているものがあるが、別板の仕切り板の材料費や、別体の仕切り板を設けるための施工費用、施工工数が必要となってしまう。また、小便器間に仕切り板が設けられていると、美観や意匠性が損なわれやすくなってしまう。
【０００３】
特許文献１では、横方向に連続して配置されている複数の小便器において、小便器間に仕切り板を設けなくとも、利用者のプライバシーが保たれる小便器が提案されている。この小便器は、小便器どうしを前後にずらして配置されている、もしくは、横断面形状が凹状となるように形成された壁面に配置されている。これにより、小便器間に仕切り板を設けなくとも、他人に小便行為等が視認されにくくなり、利用者のプライバシーが保たれる。
【先行技術文献】
【特許文献】
【０００４】
【特許文献１】特開平６−３０６９１０号公報
【発明の概要】
【発明が解決しようとする課題】
【０００５】
しかしながら、上記文献のものでは、小便器どうしを前後にずらして配置される場合、他人に小便行為等が見られないよう前後位置関係を考慮しなければならないため、トイレ設計に時間を要する。また、複数の小便器を前後にずらして配置できる大きな場所が必要となり、設置条件が厳しく、どこにでも設置できるようなものではない。
【０００６】
また、上記文献のものを取り付ける壁面が横断面形状を凹状となるように形成される場合、壁面を特殊形状に施工する必要があるため、その材料費や施工費用、施工工数がかかってしまう。
【０００７】
本発明は、上記を鑑みて提案されたものであり、その目的は、小便器間に仕切り板を設けなくても少ない費用で利用者のプライバシーが保たれ、美観や意匠性にすぐれている小便器を提供することにある。
【課題を解決するための手段】
【０００８】
上記目的を達成するために、本発明に係る小便器は、便器本体の前面部にボウル部が形成された小便器であって、便器本体は、背面に対して垂直な前方方向から見て左右非対称形状であり、前面部の少なくとも一方の側端が前方に突出していることを特徴とする。
【発明の効果】
【０００９】
本発明に係る小便器は、上述の構成になっているため、小便器間に仕切り板を設けることなく、他人に小便行為等が視認されにくくなり、利用者のプライバシーを保っている。また、この小便器によれば、別体の仕切り板の材料費や、別体の仕切り板を設けるための施工費用、施工工数を削減することもできる。
【図面の簡単な説明】
【００１０】
【図１】（ａ）は本発明の一実施形態における小便器を示した斜視図、（ｂ）は（ａ）におけるＡ−Ａ線に対応させた横断面図である。
【図２】複数の小便器の配置態様を示す斜視図である。
【図３】（ａ）（ｂ）は、それぞれ複数の小便器の配置態様を示す概略平面図である。
【発明を実施するための形態】
【００１１】
以下に、本発明の実施形態に係る小便器について、添付図面を参照して、説明をする。
【００１２】
本実施形態における小便器１は、便器本体１０の前面部１１にボウル部１２が形成されている。便器本体１０は背面１８に対して垂直な前方方向Ｂから見て左右非対称形状であり、前面部１１の少なくとも一方の側端１３が前方に突出している（図１参照）。
【００１３】
小便器１はこのような構成となっているため、突出した側端１３側の側面１４が小便器１間の仕切り代わりとなり、別体の仕切り板を設けなくても、利用者のプライバシーが保たれ、美観や意匠性を向上させることもできる。また、別体の仕切り板が不要とされるので、別体の仕切り板の材料費や、別体の仕切り板を設けるための施工費用、施工工数を削減することもできる。
【００１４】
ついで、小便器１の詳細な構成について、図１〜図３をもとに説明する。
【００１５】
小便器１は樹脂で一体成形された構造体とする。小便器１は、樹脂で一体成形された構成であるため、製造過程において複数の部品を管理しなくてもよく、取り扱いもしやすい。
【００１６】
図１（ｂ）に示すように、便器本体１０の横断面形状は略三角形であり、三角形の長辺部分が前面部１１となる。
【００１７】
便器本体１０の前面部１１は、利用者から見て奥方に湾曲した凹湾曲面に形成されている。ボウル部１２は凹湾曲面の奥まった位置に配されているため、特に、小便行為等を他人に視認されにくい。なお、本実施形態では、前面部１１の構成は凹湾曲面に形成されているが、平面で形成されてもよく、また、複数の平面を連ねた凹形状に形成されてもよく、また、これらに限定されることはない。
【００１８】
ボウル部１２は、小便を受けるための前面開口１２ａを有し、前面部１１に椀形状に窪んで形成されている。また、ボウル部１２は、図２に示すように、複数の略同一形状の小便器１が横方向に連続して配置されたときに、側端面１５に隣接する他方の便器本体１０の側面１４に対向するように設けられている。なお、ボウル部１２の構成は、本実施形態に限定されることはない。ボウル部１２は、前面部１１の中心部に設けてもよく、左右のどちらか一方に寄って設けられてもよい。
【００１９】
また、ボウル部１２の下部には、上方から垂れてきた小便を受けるための開口を有し、外郭部１２ｃに囲まれた椀形状の小便受け下部１２ｂが、前面部１１から突出形成されている。これにより、利用者が小便行為のためにボウル部１２の前に立ったときに、利用者の局部が小便受け下部１２ｂの上方に位置するため、小便がトイレの床面にこぼれにくい。なお、小便受け下部１２ｂの構成は、本実施形態に限定されることはない。また、利用者の局部の下方に小便受け下部１２ｂが位置するのであれば、小便受け下部１２ｂが設けられる位置や高さは、図例に限定されることはない。
【００２０】
さらに、前面部１１に、小便受け下部１２ｂが前方に突出形成されない構成であってもよい。この場合、前面部１１の下部に利用者の足を差し込むための凹所が設けられる、もしくは、小便器１がトイレの床面から離れて配置され、小便器１とトイレの床面との間に利用者の足を差し込むための空間が設けられる等の構成にするのが望ましい。このような構成とすれば、利用者が前面部１１下部の凹所や小便器１とトイレの床面との間の空間等に足を差し込むまで前進することで、利用者の局部がボウル部１２の前面開口１２ａ内に入り、小便がトイレの床面にこぼれにくくなる。また、図例では、ボウル部１２の小便受け下部１２ｂが、突出した側端１３より前方に突出しない構成を示しているが、突出した側端１３より前方に突出する構成であってもよい。
【００２１】
図１（ａ）（ｂ）に示すように、前面部１１の一方の側端１３が大きく突出しているので、その側面１４は前方に大きく延びて広い面を形成しており、その側面１４を介して他の便器本体１０と隣接した場合、小便器１の仕切りとなり得る。他方の側端１３ａは、前面部１１から突出せずに、側端１３ａ側に側端面１５が形成される。
【００２２】
図例では、側端１３が鋭角な端部を形成されているが、側端１３が破損しにくいように平面に形成されてもよく、利用者が衝突したときに利用者が負傷しにくいように丸めて形成されてもよい。また、側端１３はこれらに限定されることはない。
【００２３】
図例では、側端面１５は平面に形成されているが、角を丸めて形成されてもよく、また、側端１３のような鋭角に形成されてもよい。なお、側端面１５はこれらに限定されることはない。
【００２４】
図例では、側面１４の横幅寸法が、背面１８の横幅寸法より小さくなっているが、これに限定されることはなく、略同じ長さの横幅寸法であってもよく、側面１４の横幅寸法の方が、背面１８の横幅寸法より長い構成であってもよい。
【００２５】
小便器１は図１（ｂ）に示すように、便器本体１０はその内部に空間１６を有する中空構造で形成されており、背面１８が開口している。この空間１６には機構部１７が収容されている。
【００２６】
図１（ｂ）では、機構部１７を模式的に図示したが、機構部１７としてはトラップや洗浄装置などが挙げられる。なお、便器本体１０の背面１８は開口しているため、機構部１７の一部が空間１６より後方にはみ出る構成であってもよい。便器本体１０の内部はこのような中空構造に限られず、内部に空間１６を有さない中実の構成であってもよい。なお、背面１８は後述するトイレに配置するために、開口しない構成としてもよい。
【００２７】
このように、便器本体１０は内部に機構部１７が収容される空間１６を有しているので、便器本体１０を有効に利用することができる。
【００２８】
本実施形態では、小便器１は樹脂で成形されているが、これに限定されることはなく他の材料で成形されてもよく、小便器１は陶器製であってもよい。小便器１の寸法は特に限定されず、トイレの大きさや対象の利用者の体格に合わせて自由に形成してよい。なお、小便器１は本実施形態に限定されることはなく、たとえば、前面部１１に手摺や傘掛け部、灰皿等を設けてもよい。また、本実施形態の便器本体１０の横断面形状は略三角形であるが、略Ｌ字状や台形状等の他の形状であってもよい。図例では、利用者から見て左側の側端１３が前方に突出した構成であるが、逆に右側の側端１３ａが前方に突出した構成でもよい。便器本体１０の横断面形状が背面１８に対して垂直な前方方向Ｂ（図１（ｂ）参照）から見て左右非対称であれば、両方の側端１３、１３ａが前方に突出した構成であってもよく、同程度に突出したものでもよい。また、機構部１７と外部の水道設備とを連接するために、便器本体１０の底面１９が開口している構成でもよい。
【００２９】
以上により構成された小便器１は、トイレに配置される。
【００３０】
図２に示したものの施工例の平面図を図３（ａ）に示した。この例は、複数の小便器１がトイレの壁面２に当接して配置されるようにしたものである。壁面２は段差のない平面であり、複数の小便器１は、便器本体１０の背面１８が壁面２に当接し、且つ、横方向に連続して配置されている。背面１８が開口しているので、機構部１７と外部の水道設備との連接がしやすく、効率のよい施工を実現することができる。図２に示すように、側面１４は、他方の便器本体１０の側端面１５に当接し、側端面１５は、他方の便器本体１０の側面１４に当接している。
【００３１】
図２に示したものの他の施工例の平面図を図３（ｂ）に示した。この例は、複数の小便器１がトイレの壁面２に当接せずに、トイレの床面に取り付けて配置されるようにしたものである。複数の小便器１は、壁面２に当接しない位置に配置されており、便器本体１０の底面１９が床面に当接し、且つ、横方向に連続して配置されている。便器本体１０の機構部１７は、トイレの床面の外部の水道設備と連接されている。側面１４は、図２に示すように、他方の便器本体１０の側端面１５に当接し、側端面１５は、他方の便器本体１０の側面１４に当接する構成である。
【００３２】
図３（ｂ）に示した施工例では、上記の小便器１はトイレの壁面２から離れた位置に配置され、便器本体１０の底面１９がトイレの床面に当接する構成である。この施工方法は具体的には、小便器１を複数横並びにして、それらの背面１８を面一にし、かつ背面１８側に空間を設けるように設置する方法である。図３（ａ）と異なり、便器本体１０の背面１８が露出するため、便器本体１０の背面１８側のトイレの壁面２と、複数の小便器１との間には通路のような空間が形成される。つまり、便器本体１０の背面１８は、トイレ内通路の内壁面となり得る。
【００３３】
このように、背面１８は内部を隠す蓋体を設けて面一面となっていることが望ましいが、連なる複数の背面１８に対して大きな蓋体を後付けしてもよい。特に、図３（ｂ）のように小便器１を隙間なく連続配置した場合には、複数の背面１８により、大きな内壁面が形成され、それに壁紙などを貼ればさらに美観や意匠性は向上する。このように背面１８が内壁面をなすように小便器１を設置する場合、図３（ｂ）のように、より多くのものを連続して隙間なく設置するほうが効果が大きいことは言うまでもない。
【００３４】
また、図３の２例では複数の小便器１は横方向に連続して配置されているが、これら複数の小便器１の背面１８側に、別の複数の便器本体１０の背面１８が対向するように配置されてもよい。その場合、小便器１は、利用者どうしの視線が合わないように高く形成されることが望ましい。また、両端の対向した小便器１どうしの境目を塞ぐ等して、境目から背面１８が、利用者の視界に入らないようにすることが望ましい。このような構成のトイレであれば、利用者の視界に開口した背面１８が入ることはなく、また、多数の小便器１をトイレに配置することができる。なお、壁面２と背面１８との間に利用者が入れないような構成のトイレは、これに限定されることはない。
【００３５】
以上のように、本実施形態の小便器１で構成されたトイレでは、突出した側端１３（の側面１４）が隣接する小便器１との仕切り代わりとなる。また、ボウル部１２は、側端面１５側の他方の便器本体１０の側面１４に対向するように設けられているので、利用者は側端面１５側の他方の便器本体１０の側面１４に背を向けて小便行為を行うこととなる。そのため、側端面１５側に隣接する小便器１との間にも別体の仕切り板を設けなくとも、利用者の身体の大部分が隠される。他人に利用者の小便行為等が視認されにくくなるので、利用者のプライバシーが保たれる。また、別体の仕切り板の材料費や、別体の仕切り板を設けるための施工費用、施工工数を削減することもできる。
【００３６】
さらに、本実施形態の小便器１は、前面部１１が凹湾曲面に形成されており、ボウル部１２が奥まった位置に形成されている。そのため、利用者の小便行為等が視認されにくくなるだけではなく、ボウル部１２が見る方向によっては死角になるので美観がよくなる。また、ボウル部１２が視界に入っても、ボウル部１２は前面部１１に椀形状に窪んで形成されているので、前面部１１と一体感を創出することができ、やわらかな意匠性を創出することもできる。
【００３７】
本実施形態では、側端面１５が、他方の便器本体１０の側面１４に当接する構成となっているので、側端面１５が側面１４に隠されて露出しない。そのため、便器本体１０の側端面１５が開口した構成としてもよい。また、小便器１どうしが当接せずに、小便器１間に隙間が形成される構成でもよい。
【００３８】
図２に示すように、複数の小便器１を横方向に連続して配置したとき、前面部１１の凹湾曲面と側端１３が複数連続するので、美観を創出し、意匠性は向上する。また、前面部１１に、意匠性にすぐれた模様を形成してもよい。
【００３９】
また、図３（ｂ）に示すように、小便器１のボウル部１２が、トイレルームの入口３に対向して配置されていると、小便器１へのアクセスが容易となる。さらに、利用者は入口３へ背中を向けて小便行為を行うこととなるので、入口３から利用者の小便行為等が視認されにくくなり、利用者のプライバシーが保たれる。また、図３（ｂ）の施工例は小便器１の背面１８側に通路ができるので、その通路側に入口を設けてもよい。また、図３（ａ）（ｂ）に示すように、ボウル部１２が突出した側端１３寄りに設けられていれば、便器本体１０の前面部１１の前方の空間が狭い場合であっても、小便器１へのアクセスが容易となる。
【００４０】
また、小便器列が壁付けされたもの（図３（ａ）参照）と、小便器列が壁から離れた状態に取り付けられたもの（図３（ｂ）参照）とが並存するトイレとすることもできる。
【００４１】
小便器１の構成は、本実施形態や図例に限定されることはなく、また、小便器１の配置態様は、本実施形態や図例に限定されることはない。
【００４２】
また、図１の小便器１と、それと左右対照形状の小便器とを、突出していない側端どうしを当接させるように並べて配置させるようにしてもよい。２つの小便器の前面部の凹湾曲面が並べられることにより、左右対称形状の１つの大きな凹湾曲面が形成されるので、外部から見えにくくなり美観が向上する。また、これらの小便器では、利用者は互いに背中を向けて小便行為を行うこととなるので、相互に小便行為等が視認されにくくなり、プライバシーが保たれる。さらに、別体の仕切り板の材料費や、別体の仕切り板を設けるための施工費用、施工工数を削減することもできる。
【符号の説明】
【００４３】
１                小便器
１０              便器本体
１１              前面部
１２              ボウル部
１２ｂ            小便受け下部
１３、１３ａ      側端
１８              背面
Ｂ                前方方向
【図１】
2017197908.tif 000003
【図２】
2017197908.tif 000004
【図３】
2017197908.tif 000005